(57)【要約】【課題】  見切り部材を中枠およびモジュールに対して正確に位置合わせすることができる内装部品の位置決め構造、時計、および内装部品の位置決め方法を提供する。【解決手段】  腕時計ケース１と、この腕時計ケース１内に配置され、かつ上面に位置決め嵌合凹部１７が設けられた中枠１１と、この中枠１１内に位置決めされた状態で配置された時計モジュール１０と、中枠１１の上面に対向する下面に中枠１１の位置決め嵌合凹部１７に嵌着して中枠１１に対して位置決めするための位置決めピン１６が設けられた見切り板６とを備えている。従って、腕時計ケース１内に配置される中枠１１内に時計モジュール１０を位置決めして配置した状態で、中枠１１の位置決め嵌合凹部１７に見切り板６の位置決めピン１６を嵌着させることができるので、見切り板６を中枠１１に対して正確に位置決めすることができる。【選択図】        図２
2014119289.tif 000002
【特許請求の範囲】
【請求項１】
ケースと、
このケース内に配置され、かつ上面に位置決め嵌合凹部が設けられた中枠と、
この中枠内に位置決めされた状態で配置されたモジュールと、
前記中枠の上面に対向する下面に前記中枠の前記位置決め嵌合凹部に嵌着して前記中枠に対して位置決めするための位置決め突起が設けられた見切り部材とを備え、
前記ケースの内周面には、前記中枠と前記見切り部材との間に配置される鍔状突起部が前記モジュールの上面よりも高い位置に設けられ、この鍔状突起部には、前記見切り部材の前記位置決め突起が挿入して突出する挿入孔が設けられていることを特徴とする内装部品の位置決め構造。
【請求項２】
請求項１に記載の内装部品の位置決め構造において、前記中枠の内周面と前記モジュールの外周面との一方には位置決め凸部が設けられ、他方には前記位置決め凸部が係合する位置決め凹部が設けられていることを特徴する内装部品の位置決め構造。
【請求項３】
請求項１または請求項２に記載の内装部品の位置決め構造において、前記ケースは、前記鍔状突起部が設けられた上部ケースと、下部ケースとを備え、前記上部ケース内に前記見切り部材が配置され、前記下部ケース内に前記中枠が配置されていることを特徴する内装部品の位置決め構造。
【請求項４】
請求項３に記載の内装部品の位置決め構造において、前記上部ケースは、その径方向の肉厚が前記下部ケースの径方向の肉厚よりも薄く形成され、かつ内径が前記下部ケースの内径よりも大きく形成されていることを特徴する内装部品の位置決め構造。
【請求項５】
請求項１〜請求項４のいずれかに記載の内装部品の位置決め構造を備えていることを特徴とする時計。
【請求項６】
ケース内に配置された中枠とモジュールとを位置決めする位置決め工程と、
見切り部材の下面に設けられた位置決め突起を、前記中枠と前記見切り部材との間の前記内周面の前記モジュールの上面より高い位置に設けられた鍔状突起部の挿入孔を貫通させ、前記中枠の上面に設けられた位置決め嵌合凹部に嵌着する嵌着工程と、
を備えていることを特徴とする内装部品の位置決め方法。
【発明の詳細な説明】
【技術分野】
【０００１】
この発明は、腕時計などの電子機器に用いられる内装部品の位置決め構造、時計、および内装部品の位置決め方法に関する。
【背景技術】
【０００２】
例えば、腕時計においては、特許文献１に記載されているように、腕時計ケースの内周面に鍔状の突起部を時計モジュールと同じ高さ位置で腕時計ケースの内側に向けて突出させて設け、この突起部の上側に見切り板を位置決めして配置すると共に、この鍔状の突起部の下側に中枠を位置決めして配置し、この中枠内に時計モジュールを位置決めして配置した内装部品の位置決め構造が知られている。
【先行技術文献】
【特許文献】
【０００３】
【特許文献１】実開昭６０−６１６８７号公報
【０００４】
このような腕時計における内装部品の位置決め構造は、腕時計ケース内に見切り板および中枠を位置決めするために、腕時計ケースに設けられた鍔状の突起部に位置決め孔を上下に貫通させて設け、この位置決め孔に見切り板の位置決め突起を上方から挿入すると共に、中枠の位置決め突起を下側から挿入することにより、腕時計ケース内に見切り板および中枠を位置決めするように構成されている。
【発明の概要】
【発明が解決しようとする課題】
【０００５】
しかしながら、このような腕時計における内装部品の位置決め構造では、腕時計ケースの突起部に設けられた同一の位置決め孔に見切り板の位置決め突起と中枠の位置決め突起とを挿入させて、見切り板と中枠とを腕時計ケースに対して位置決めしているので、見切り板の位置決め突起と中枠の位置決め突起とを位置決め孔を介して位置決めしているため、位置合わせの精度を高くすることができないという問題がある。
【０００６】
また、腕時計ケースの内周面に鍔状の突起部を時計モジュールと同じ高さ位置で腕時計ケースの内側に向けて突出させて設けているため、時計モジュールの外径が制限されてしまうという問題がある。
【０００７】
この発明が解決しようとする課題は、モジュールの外径が制限されずに、見切り部材を中枠およびモジュールに対して正確に位置合わせすることができる内装部品の位置決め構造、時計、および内装部品の位置決め方法を提供することである。
【課題を解決するための手段】
【０００８】
この発明は、ケースと、このケース内に配置され、かつ上面に位置決め嵌合凹部が設けられた中枠と、この中枠内に位置決めされた状態で配置されたモジュールと、前記中枠の上面に対向する下面に前記中枠の前記位置決め嵌合凹部に嵌着して前記中枠に対して位置決めするための位置決め突起が設けられた見切り部材とを備え、前記ケースの内周面には、前記中枠と前記見切り部材との間に配置される鍔状突起部が前記モジュールの上面よりも高い位置に設けられ、この鍔状突起部には、前記見切り部材の前記位置決め突起が挿入して突出する挿入孔が設けられていることを特徴とする内装部品の位置決め構造である。
【発明の効果】
【０００９】
この発明によれば、ケース内に配置される中枠内にモジュールを位置決めして配置した状態で、中枠の位置決め嵌合凹部に見切り部材の位置決め突起を嵌着させることができるので、見切り部材を中枠に対して正確に位置決めすることができると共に、モジュールに対しても正確に位置決めすることができる。これにより、見切り部材を中枠およびモジュールに対して正確に位置合わせすることができる。
【図面の簡単な説明】
【００１０】
【図１】この発明を指針式の腕時計に適用した一実施形態を示した拡大正面図である。
【図２】図１に示された腕時計のＡ−Ａ矢視における要部の拡大断面図である。
【図３】図２に示された腕時計を分解して示した拡大斜視図である。
【図４】図２に示された腕時計のＢ−Ｂ矢視における要部の拡大断面図である。
【発明を実施するための形態】
【００１１】
以下、図１〜図４を参照して、この発明を指針式の腕時計に適用した一実施形態について説明する。
この腕時計は、図１および図２に示すように、腕時計ケース１を備えている。この腕時計ケース１は、上部ケース２と下部ケース３とを有し、この上部ケース２と下部ケース３とが防水パッキン４を介して上下に接合された構成になっている。
【００１２】
この腕時計ケース１の上部開口部、つまり上部ケース２の上部開口部には、図１〜図３に示すように、時計ガラス５がパッキン５ａを介して取り付けられている。この腕時計ケース１の上部ケース２内における時計ガラス５の下面には、見切り板６が配置されている。また、この腕時計ケース１の下部ケース３の下部には、裏蓋７が防水リング７ａを介して取り付けられている。
【００１３】
さらに、この腕時計ケース１の３時側に位置する側部には、図１および図３に示すように、押釦スイッチ８が設けられている。この腕時計ケース１の１２時側および６時側に位置する側部には、バンド取付部９がそれぞれ設けられている。また、この腕時計ケース１の内部、つまり下部ケース１の内部には、図２および図３に示すように、時計モジュール１０が中枠１１を介して設けられている。時計モジュール１０は、合成樹脂製のハウジング１２を備えている。
【００１４】
このハウジング１２の上面には、図２および図３に示すように、文字板１３が配置されている。また、このハウジング１２には、指針１０ａを運針させて時刻を指示する時計ムーブメントなどの時計機能に必要な各種の部品（いずれも図示せず）が組み込まれている。この場合、時計ムーブメントは、指針軸１０ｂが文字板１３の貫通孔１３ａを通して上方に突出し、この突出した指針軸１０ｂの上部に指針１０ａが取り付けられ、この状態で指針１０ａが運針するように構成されている。
【００１５】
また、中枠１１は、図２および図３に示すように、全体が円筒状に形成され、下部ケース３内にその内周面に沿って配置されるように構成されている。この中枠１１内には、時計モジュール１０が位置決めされて配置されている。すなわち、中枠１１の内周面における対角線上に位置する個所には、図２〜図４に示すように、位置決め凸部１１ａがそれぞれ中枠１１の内部に向けて突出して設けられている。
【００１６】
この位置決め凸部１１ａは、図２〜図４に示すように、それぞれ半円柱状に形成され、中枠１１の内周面における下部にその上下方向に沿って設けられている。また、時計モジュール１０の外周面、つまりハウジング１２の外周面における対角線上に位置する個所には、中枠１１の位置決め凸部１１ａが嵌合する位置決め凹部１２ａがそれぞれ設けられている。
【００１７】
この位置決め凹部１２ａは、図２〜図４に示すように、それぞれ半円柱状の溝であり、ハウジング１２の外周面における下部にその上下方向に沿って設けられている。これにより、時計モジュール１０と中枠１１とは、時計モジュール１０を中枠１１内に上方から挿入させる際に、時計モジュール１０のハウジング１２に設けられた位置決め凹部１２ａに中枠１１の位置決め凸部１１ａを嵌合させることにより、中枠１１内に時計モジュール１０が位置決めされるように構成されている。
【００１８】
すなわち、時計モジュール１０と中枠１１とは、図２〜図４に示すように、中枠１１の位置決め凸部１１ａがハウジング１２の位置決め凹部１２ａに下側から挿入して嵌合することにより、中枠１１に対するハウジング１２の回転方向における位置が規制されると共に、中枠１１に対するハウジング１２の上下方向における位置も規制されるように構成されている。
【００１９】
ところで、見切り板６は、図２および図３に示すように、時計ガラス２の下側に位置した状態で、腕時計ケース１の上部ケース２内における鍔状突起部１４上に配置されるように構成されている。この場合、上部ケース２は、その径方向の肉厚が下部ケース３の径方向の肉厚よりも薄く形成され、かつ内径が下部ケース３の内径よりも大きく形成されている。
【００２０】
このため、鍔状突起部１４は、図２に示すように、上部ケース２の内周面における下部に位置した状態で、下部ケース３の上面から中枠１１の上面を経て時計モジュール１０のハウジング１２の上面に亘って突出して設けられている。これにより、防水パッキン４は、上部ケース２と鍔状突起部１４との境界付近に位置する下面と下部ケース３の上面との間に配置されている。
【００２１】
また、見切り板６は、図２および図３に示すように、ステンレスなどの金属からなり、全体がリング状に形成されている。すなわち、この見切り板６は、鍔状突起部１４の上面における外周側に位置する第１傾斜部６ａと、鍔状突起部１４の上面における内周側に位置する平面部６ｂと、鍔状突起部１４の上面から時計モジュール１０の文字板１３の上面に向けて傾斜した状態で配置される第２傾斜部６ｃとを有している。
【００２２】
この場合、第１傾斜部６ａは、図２に示すように、その上端面が時計ガラス５の下面に当接し、外周面が上部ケース２の内周面に沿って当接した状態で、下面が鍔状突起部１４の上面に配置されている。平面部６ｂは、第１傾斜部６ａの内周端から鍔状突起部１４の上面に沿って配置されている。第２傾斜部６ｃは、平面部６ｂの内周端から文字板１３の上面に向けて傾斜した状態で配置されている。
【００２３】
これにより、見切り板６は、図２に示すように、その第１傾斜部６ａおよび平面部６ｂが上部ケース２の鍔状突起部１４上に配置された状態で、第２傾斜部６ｃの内周側に位置する下端部が文字板１３の上面に当接することにより、時計モジュール１０を上方から押えるように構成されている。
【００２４】
また、この見切り板６には、図１および図３に示すように、時刻の時目盛や分目盛などの目盛１５が、平面部６ｂの上面から第２傾斜部６ｃの上面に亘って表示されている。
この場合、腕時計ケース１の上面、つまり上部ケース２の上面には、図１に示すように、タッチメータなどの付属機能の目盛２ａが見切り板６の目盛１５に対応して表示されている。
【００２５】
さらに、この見切り板６は、図２および図３に示すように、中枠１１に対して位置決めされるように構成されている。すなわち、見切り板６の平面部６ｂの下面における対角線上の２箇所には、それぞれ位置決めピン１６が垂下されて設けられている。この位置決めピン１６は、ステンレスなどの金属からなり、スポット溶接などの溶接によって見切り板６の平面部６ｂに固着されている。
【００２６】
一方、腕時計ケース１の鍔状突起部１４には、図２および図３に示すように、見切り板６の位置決めピン１６がそれぞれ挿入して突出する挿入孔１４ａが上下に貫通して設けられている。中枠１１の上面には、見切り板６の位置決めピン１６がそれぞれ挿入して嵌合する位置決め嵌合凹部１７が設けられている。
【００２７】
この場合、見切り板６の位置決めピン１６は、図２に示すように、その上下方向の長さが鍔状突起部１４の上下方向の厚みよりも十分に長く形成されている。鍔状突起部１４の挿入孔１４ａは、その内径が見切り板６の位置決めピン１６の外径とほぼ同じ大きさに形成されている。また、この挿入孔１４ａは、鍔状突起部１４における見切り板６の位置決めピン１６にそれぞれ対応する箇所に設けられている。
【００２８】
一方、中枠１１の位置決め嵌合凹部１７は、図２に示すように、見切り板６の位置決めピン１６の外径とほぼ同じ大きさの穴部であり、中枠１１の上面における見切り板６の位置決めピン１６にそれぞれ対応する箇所に設けられている。この位置決め嵌合凹部１７は、位置決めピン１６が見切り板６の面方向にガタツクことなく挿入して嵌着するように構成されている。
【００２９】
これにより、見切り板６と中枠１１とは、図２に示すように、見切り板６の位置決めピン１６が腕時計ケース１の鍔状突起部１４の挿入孔１４ａを通して中枠１１の位置決め嵌合凹部１７に刺し込まれて嵌着することにより、見切り板６が中枠１１に対して位置決めされると共に、腕時計ケース１に対しても位置決めされ、かつ中枠１１に対して位置決めされた時計モジュール１０に対しても位置決めされるように構成されている。
【００３０】
次に、このような腕時計を組み立てる場合について説明する。
まず、上部ケース２と下部ケース３とをその両者の間に防水パッキン４を介して上下に接合する。これにより、腕時計ケース１が形成される。そして、この腕時計ケース１内に時計モジュール１０を中枠１１によって下側から装着すると共に、見切り板６を上側から装着する。
【００３１】
この場合、時計モジュール１０は、予め、中枠１１内に装着する。このときには、中枠１１内に時計モジュール１０を上方から挿入する際に、時計モジュール１０のハウジング１２の外周に設けられた位置決め凹部１２ａを中枠１１の内周面に設けられた位置決め凸部１１ａに対応させ、この状態で中枠１１内に時計モジュール１０を上方から挿入させて、ハウジング１２の位置決め凹部１２ａに中枠１１の位置決め凸部１１ａを嵌合させる。
【００３２】
これにより、時計モジュール１０が中枠１１に対して位置決めされる。このときには、中枠１１の位置決め凸部１１ａがハウジング１２の位置決め凹部１２ａに嵌合していることにより、中枠１１に対するハウジング１２の回転方向における位置が規制されると共に、中枠１１に対するハウジング１２の上下方向における位置も規制される。
【００３３】
この状態で、中枠１１を時計モジュール１０と共に腕時計ケース１内に下側から挿入する。このときには、中枠１１の上面に設けられた位置決め嵌合凹部１７を腕時計ケース１の上部ケース２の鍔状突起部１４に設けられた挿入孔１４ａに対応させ、この状態で中枠１１を時計モジュール１０と共に腕時計ケース１の下部ケース３内に下側から挿入して、中枠１１の上面を上部ケース２の鍔状突起部１４の下面に当接させる。
【００３４】
そして、見切り板６を腕時計ケース１の上部ケース２内に上方から挿入する。このときには、見切り板６の下面に設けられた位置決めピン１６を上部ケース２の鍔状突起部１４の挿入孔１４ａに対応させ、この状態で見切り板６を上部ケース２内に上方から挿入する。すると、見切り板６の位置決めピン１６が鍔状突起部１４の挿入孔１４ａ内に挿入して、中枠１１の位置決め嵌合凹部１７内に刺し込まれる。
【００３５】
これにより、見切り板６の第１傾斜部６ａが上部ケース２の内周面に沿って密接して配置された状態で、見切り板６の平面部６ｂが上部ケース２の鍔状突起部１４上に当接して配置されると共に、見切り板６の第２傾斜部６ｃの下端部が時計モジュール１０上の文字板１３の上面に当接して配置される。このため、文字板１３が見切り板６の第２傾斜部６ｃの下端部によって上方から押えられるので、時計モジュール１０が中枠１１内において上下方向にガタツクことなく固定される。
【００３６】
この状態では、見切り板６の位置決めピン１６の下端部が、上部ケース２の鍔状突起部１４の挿入孔１４ａを通して下側に突出し、この突出した下端部が中枠１１の位置決め嵌合凹部１７に嵌着する。これにより、見切り板６は中枠１１に対して位置決めされると共に、この中枠１１に位置決めされた時計モジュール１０に対しても位置決めされる。また、見切り板６および中枠１１は、位置決めピン１６が上部ケース２の鍔状突起部１４の挿入孔１４ａに挿入していることにより、腕時計ケース１に対しても位置決めされる。
【００３７】
これにより、組立公差による位置ずれが抑制されるので、見切り板６に表示されている時目盛や分目盛などの目盛１５と、上部ケース２の付属機能の目盛２ａとが、正確に位置合せされると共に、時計モジュール１０の指針１０ａが見切り板６の目盛１５および上部ケース２の目盛２ａに対して正確に位置合せされる。この後は、腕時計ケース１の上部ケース２にパッキン５ａを介して時計ガラス５を装着する。また、腕時計ケース３の下部に防水リング７ａを介して裏蓋７を取り付ける。これにより、腕時計が組み立てられる。
【００３８】
このように、この腕時計によれば、腕時計ケース１と、この腕時計ケース１内に配置され、かつ上面に位置決め嵌合凹部１７が設けられた中枠１１と、この中枠１１内に位置決めされた状態で配置された時計モジュール１０と、中枠１１の上面に対向する下面に中枠１１の位置決め嵌合凹部１７に嵌着して中枠１１に対し位置決めするための位置決めピン１６が設けられた見切り板６とを備えていることにより、見切り板６を中枠１１および時計モジュール１０に対して正確に位置合わせすることができる。
【００３９】
すなわち、この腕時計によれば、腕時計ケース１内に配置される中枠１１内に時計モジュール１０を位置決めして配置した状態で、中枠１１の位置決め嵌合凹部１７に見切り板６の位置決めピン１６を嵌着させることができるので、見切り板６を中枠１１に対して正確に位置決めすることができると共に、時計モジュール１０に対しても正確に位置決めすることができる。これにより、見切り板６を中枠１１および時計モジュール１０に対して正確に位置合わせすることができる。
【００４０】
この場合、腕時計ケース１の内周面には、中枠１１と見切り板６との間に配置される鍔状突起部１４が設けられており、この鍔状突起部１４には、見切り板６の位置決めピン１６が挿入する挿入孔１４ａが設けられていることにより、見切り板６の位置決めピン１６を中枠１１の位置決め嵌合凹部１７に嵌着させる際に、見切り板６の位置決めピン１６を鍔状突起部１４の挿入孔１４ａに挿入させることができるので、見切り板６および中枠１１を腕時計ケース１に対しても位置決めすることができる。
【００４１】
すなわち、見切り板６の位置決めピン１６が鍔状突起部１４の挿入孔１４ａに挿入することにより、見切り板６の位置決めピン１６が腕時計ケース１に対して位置決めされるので、見切り板６を腕時計ケース１に対して位置決めすることができると共に、この見切り板６の位置決めピン１６によって中枠１１を腕時計ケース１に対しても位置決めすることができる。
【００４２】
また、見切り板６の位置決めピン１６が鍔状突起部１４の挿入孔１４ａに挿入していることにより、位置決めピン１６を鍔状突起部１４によって確実にかつ良好に保護することができ、これにより見切り板６を腕時計ケース１の鍔状突起部１４上に確実にかつ良好に固定することができる。このため、落下などによる衝撃を受けても、見切り板６および中枠１１が腕時計ケース１に対して回転方向に位置ずれするのを確実に防ぐことができる。
【００４３】
さらに、見切り板６の位置決めピン１６が鍔状突起部１４の挿入孔１４ａに挿入することにより、見切り板６を腕時計ケース１の内面に接近させることができると共に、見切り板６の位置決めピン１６を時計モジュール１０の外周よりも外側に配置することができ、これにより時計モジュール１０が位置決めピン１６によって制約を受けることがないので、腕時計全体における表示領域を大きくすることができる。
【００４４】
また、この腕時計では、中枠１１の内周面に位置決め凸部１１ａが設けられ、時計モジュール１０のハウジング１２の外周面に位置決め凹部１２ａが設けられていることにより、中枠１１内に時計モジュール１０を配置する際に、中枠１１の位置決め凸部１１ａをハウジング１２の位置決め凹部１２ａに係合させることができる。これにより、中枠１１内に時計モジュール１０を正確に位置合わせして配置することができるので、中枠１１を介して見切り板６を時計モジュール１０に対して正確に位置合わせすることができる。
【００４５】
この場合、中枠１１の位置決め凸部１１ａは、中枠１１の内周面における下部にその上下方向に沿って半円柱状に設けられ、ハウジング１２の位置決め凹部１２ａは、ハウジング１２の外周面における下部にその上下方向に沿って半円柱の溝状に設けられているので、時計モジュール１０を中枠１１内に上方から挿入させて、ハウジング１２の位置決め凹部１２ａに中枠１１の位置決め凸部１１ａを嵌合させることにより、中枠１１内に時計モジュール１０を正確に位置合せすることができる。
【００４６】
すなわち、時計モジュール１０と中枠１１とは、中枠１１の位置決め凸部１１ａがハウジング１２の位置決め凹部１２ａに下側から挿入して嵌合することにより、中枠１１に対するハウジング１２の回転方向における位置を正確に規制することができると共に、中枠１１に対するハウジング１２の上下方向における位置も規制することができる。このため、中枠１１内に時計モジュール１０を正確に位置合せすることができるので、この中枠１１を介して見切り板６を時計モジュール１０に対して正確に位置合わせすることができる。
【００４７】
さらに、この腕時計では、腕時計ケース１が上部ケース２と下部ケース３とを備え、上部ケース２内に見切り板６が配置され、下部ケース３内に中枠１１が配置されていることにより、腕時計ケース１を容易に製作することができると共に、組立て作業性の向上をも図ることができる。すなわち、上部ケース２と下部ケース３とをその両者の間に防水パッキン４を介して上下に接合することにより、腕時計ケース１を構成することができるので、腕時計ケース１が鍔状突起部１４を有する複雑な形状であっても、容易に製作することができ、生産性の向上を図ることができる。
【００４８】
また、腕時計ケース１内に見切り板６を配置する際には、上部ケース２内に見切り板６を上方から挿入させて見切り板６を上部ケース２の鍔状突起部１４に当接させることにより、見切り板６を位置規制することができるので、見切り板６の組み付け作業が容易にできる。同様に、腕時計ケース１内に中枠１１を配置する際には、下部ケース３内に中枠１１を挿入させて中枠１１の上面を上部ケース２の鍔状突起部１４に当接させることにより、中枠１１を位置規制することができるので、中枠１１の組み付け作業が容易にできる。
【００４９】
この場合、上部ケース２の内周面における下部に鍔状突起部１４が上部ケース２の内部に向けて突出して設けられていることにより、上部ケース２の径方向の肉厚を下部ケース３の径方向の肉厚よりも薄く形成することができると共に、上部ケース２の内径を下部ケース３の内径よりも大きく形成することができる。このため、上部ケース２内に配置される見切り板６の外径を下部ケース３の内径よりも大きく形成することができるので、腕時計におけるワイドフェイス化を図ることができる。
【００５０】
なお、上述した実施形態では、中枠１１の内周面に位置決め凸部１１ａを設け、時計モジュール１０のハウジング１２の外周面に位置決め凹部１２ａを設けた場合について述べたが、これに限らず、例えば中枠１１の内周面に位置決め凹部を設け、時計モジュール１０のハウジング１２の外周面に位置決め凸部を設けた構成であっても良い。
【００５１】
また、上述した実施形態では、腕時計ケース１を上部ケース２と下部ケース３とで構成した場合について述べたが、必ずしも腕時計ケース１を上部ケース２と下部ケース３とで構成する必要はなく、例えば上部ケース部と下部ケース部とを一体に形成した構成であっても良い。
【００５２】
さらに、上述した実施形態では、指針式の腕時計に適用した場合について述べたが、必ずしも指針式の腕時計である必要はなく、例えばトラベルウオッチ、目覚まし時計、置き時計、掛け時計などの各種の時計に適用することができるほか、必ずしも時計である必要はなく、携帯電話機、携帯情報端末機見切り部とモジュールとの位置合せが必要な電子機器に広く適用することができる。
【００５３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５４】
（付記）
請求項１に記載の発明は、ケースと、このケース内に配置され、かつ上面に位置決め嵌合凹部が設けられた中枠と、この中枠内に位置決めされた状態で配置されたモジュールと、前記中枠の上面に対向する下面に前記中枠の前記位置決め嵌合凹部に嵌着して前記中枠に対して位置決めするための位置決め突起が設けられた見切り部材とを備え、前記ケースの内周面には、前記中枠と前記見切り部材との間に配置される鍔状突起部が前記モジュールの上面よりも高い位置に設けられ、この鍔状突起部には、前記見切り部材の前記位置決め突起が挿入して突出する挿入孔が設けられていることを特徴とする内装部品の位置決め構造である。
【００５５】
請求項２に記載の発明は、請求項１に記載の内装部品の位置決め構造において、前記中枠の内周面と前記モジュールの外周面との一方には位置決め凸部が設けられ、他方には前記位置決め凸部が係合する位置決め凹部が設けられていることを特徴する内装部品の位置決め構造である。
【００５６】
請求項３に記載の発明は、請求項１または請求項２に記載の内装部品の位置決め構造において、前記ケースは、前記鍔状突起部が設けられた上部ケースと、下部ケースとを備え、前記上部ケース内に前記見切り部材が配置され、前記下部ケース内に前記中枠が配置されていることを特徴する内装部品の位置決め構造である。
【００５７】
請求項４に記載の発明は、請求項３に記載の内装部品の位置決め構造において、前記上部ケースは、その径方向の肉厚が前記下部ケースの径方向の肉厚よりも薄く形成され、かつ内径が前記下部ケースの内径よりも大きく形成されていることを特徴する内装部品の位置決め構造である。
【００５８】
請求項５に記載の発明は、請求項１〜請求項４のいずれかに記載の内装部品の位置決め構造を備えていることを特徴とする時計である。
【００５９】
請求項６に記載の発明は、ケース内に配置された中枠とモジュールとを位置決めする位置決め工程と、見切り部材の下面に設けられた位置決め突起を、前記中枠と前記見切り部材との間の前記内周面の前記モジュールの上面より高い位置に設けられた鍔状突起部の挿入孔を貫通させ、前記中枠の上面に設けられた位置決め嵌合凹部に嵌着する嵌着工程と、
を備えていることを特徴とする内装部品の位置決め方法である。
【符号の説明】
【００６０】
１  腕時計ケース
２  上部ケース
２ａ  目盛
３  下部ケース
４  防水パッキン
６  見切り板
６ａ  第１傾斜部
６ｂ  平面部
６ｃ  第２傾斜部
１０  時計モジュール
１１  中枠
１１ａ  位置決め凸部
１２  ハウジング
１２ａ  位置決め凹部
１３  文字板
１４  鍔状突起部
１４ａ  挿入孔
１５  目盛
１６  位置決めピン
１７  位置決め嵌合凹部
【図１】
2014119289.tif 000003
【図２】
2014119289.tif 000004
【図３】
2014119289.tif 000005
【図４】
2014119289.tif 000006